(57)【特許請求の範囲】
【請求項１】
プロジェクターが照射した画像が投影される投影ボードと、当該投影ボードに固定された保持部材と、当該保持部材に回動可能に設けられて、上記プロジェクターを上記投影ボードの前方の使用位置および投影ボードの上方の収納位置に移動させる可動アームとを備えたプロジェクター用ボードにおいて、
上記可動アームを上記保持部材に対して回動させながら昇降させるカム機構を設け、
上記カム機構が可動アームを昇降させることにより、上記プロジェクターが収納位置に位置した際には当該プロジェクターの本体部が上記投影ボードの上方の縁部よりも上方に位置し、上記プロジェクターが使用位置に位置した際には上記本体部が上記投影ボードの上方の縁部よりも下方に位置するようにしたことを特徴とするプロジェクター用ボード。
【請求項２】
上記カム機構は、上記可動アームを設けたカムフォロアと、上記投影ボードに設けられて上記カムフォロアが上方から当接する傾斜部の形成されたカム部材とから構成されていることを特徴とする請求項１に記載のプロジェクター用ボード。
【請求項３】
上記カム部材における上記傾斜部の下端部に隣接した位置に平坦部を設け、
上記プロジェクターが使用位置に位置した際に、上記カムフォロアが上記平坦部に位置して、当該平坦部の形成された範囲内において上記可動アームの回動を許容することを特徴とする請求項２に記載のプロジェクター用ボード。
【請求項４】
上記カム部材における上記平坦部に隣接した位置に、上方に向けて傾斜するストッパ部を設け、
当該ストッパ部にカムフォロアを当接させて可動アームの回転を阻止することを特徴とする請求項３に記載のプロジェクター用ボード。
【請求項５】
上記カム部材における上記傾斜部の上端部に隣接した位置に、上記カムフォロアが嵌合する凹部を設け、
上記プロジェクターが収納位置に位置した際に、上記カムフォロアが上記凹部に位置するようにしたことを特徴とする請求項２ないし請求項４のいずれかに記載のプロジェクター用ボード。
【請求項６】
投影ボードの外周を囲繞する縁部よりも内側で、かつ当該縁部の上部略中央に、投影ボードに対する接触を検出するセンサーユニットを設け、当該センサーユニットによる検出範囲を上記センサーユニットの下方で、かつ上記縁部の内側に設定し、
上記プロジェクターが使用位置に位置した際に、上記プロジェクターによる画像の投影範囲が上記センサーユニットの検出範囲の内側に位置するようにしたことを特徴とする請求項１ないし請求項５のいずれかに記載のプロジェクター用ボード。
【発明の詳細な説明】
【技術分野】
【０００１】
本発明はプロジェクター用ボードに関し、詳しくはプロジェクターを投影ボードの前方の使用位置および投影ボードの上方の収納位置に移動させる可動アームを備えたプロジェクター用ボードに関する。
【背景技術】
【０００２】
従来、プロジェクターが照射した画像を投影ボードに投影することが行われ、このような投影ボードを備えたプロジェクター用ボードとして、例えば揺動可能に設けた可動アームにプロジェクターを保持するようにしたものが知られている。
この可動アームを備えたプロジェクター用ボードによれば、プロジェクターを上記投影ボードの前方の使用位置および投影ボードの上方の収納位置に移動させて、プロジェクターを収納することが可能となっている（特許文献１）。
【先行技術文献】
【特許文献】
【０００３】
【特許文献１】登録第３８６４０５１号公報
【発明の概要】
【発明が解決しようとする課題】
【０００４】
ここで、上記特許文献１のプロジェクター用ボードでは、上記プロジェクターを収納位置に位置させた場合に、当該プロジェクターの本体部が投影ボードの縁部よりも側方に突出するようになっている。
しかしながら、上記プロジェクターとして焦点距離の短い超短焦点プロジェクターを用いる場合には、上記可動アームを短くして投影ボードとプロジェクターとを接近させなければならず、その場合プロジェクターを収納位置に移動させようとすると本体部が投影ボードの縁部の上部に干渉してしまうという問題が発生する。
このような問題に鑑み、本発明は焦点距離の短いプロジェクターであっても、これを収納位置に移動させることが可能なプロジェクター用ボードを提供するものである。
【課題を解決するための手段】
【０００５】
すなわち請求項１の発明にかかるプロジェクター用ボードは、プロジェクターが照射した画像が投影される投影ボードと、当該投影ボードに固定された保持部材と、当該保持部材に回動可能に設けられて、上記プロジェクターを上記投影ボードの前方の使用位置および投影ボードの上方の収納位置に移動させる可動アームとを備えたプロジェクター用ボードにおいて、
上記可動アームを上記保持部材に対して回動させながら昇降させるカム機構を設け、
上記カム機構が可動アームを昇降させることにより、上記プロジェクターが収納位置に位置した際には当該プロジェクターの本体部が上記投影ボードの上方の縁部よりも上方に位置し、上記プロジェクターが使用位置に位置した際には上記本体部が上記投影ボードの上方の縁部よりも下方に位置するようにしたことを特徴としている。
【発明の効果】
【０００６】
上記発明によれば、上記カム機構により可動アームを回動させながら昇降させることができるため、焦点距離の短いプロジェクターであっても、収納位置ではプロジェクターの本体部が上記投影ボードの上方の縁部に干渉せず、また使用位置では上記本体部が上記投影ボードの上方の縁部よりも下方に位置するため、適切に画像を投影ボードに投影することができる。
【図面の簡単な説明】
【０００７】
【図１】本実施例にかかるプロジェクター用ボードの正面図
【図２】プロジェクター用ボードの側面図
【図３】プロジェクター用ボードの平面図
【図４】カム機構を説明する図であって、（ａ）は平面図、（ｂ）は側面図、（ｃ）は正面図をそれぞれ示す。
【発明を実施するための形態】
【０００８】
以下図示実施例について説明すると、図１〜図３は画像を照射するプロジェクター１の取り付けられたプロジェクター用ボード２を示し、図１は正面図、図２は側面図、図３は平面図をそれぞれ示している。
上記プロジェクター用ボード２は、プロジェクター１が照射した画像が投影される投影ボード３と、当該投影ボード３に固定された保持部材４と、当該保持部材４に回動可能に設けられて、上記プロジェクター１を上記投影ボード３の前方の使用位置および投影ボード３の上方の収納位置に移動させる可動アーム５とを備えている。
また本実施例のプロジェクター用ボード２は、上記可動アーム５を上記保持部材４に対して回動させながら昇降させるカム機構６を備えており、上記プロジェクター１が収納位置に位置した際には当該プロジェクター１の本体部１ａが上記投影ボード３の上方の縁部よりも上方に位置し、上記プロジェクター１が使用位置に位置した際には上記本体部１ａが上記投影ボード３の上方の縁部よりも下方に位置するようになっている。
【０００９】
本実施例のプロジェクター１は従来公知のものであり、内部に発光手段や基板等を収容した本体部１ａの上部に、斜め上方に向けて映像を照射する照射レンズ１ｂを備えたものとなっている。
しかしながら、本実施例のようにプロジェクター１をプロジェクター用ボード２で使用する場合には、本体部１ａを上下逆さまにした状態で上記可動アーム５に固定し、これにより下方に位置した照射レンズ１ｂから斜め下方に映像を照射することができる。
さらに、本実施例のプロジェクター１はいわゆる超短焦点プロジェクター１となっており、例えば横幅が約１７０ｃｍのおよそ８２型に相当する投影ボード３に画像を投影するには、上記プロジェクター１を当該投影ボード３に対して２０ｃｍ程度離隔させるだけでよい。
【００１０】
また本実施例のプロジェクター１は、投影ボード３に触れた使用者の指の位置を検出するセンサーユニット７を備え、当該センサーユニット７は上記投影ボード３の上部略中央に設けられている。
センサーユニット７が検出した指の位置は上記プロジェクター１もしくは当該プロジェクター１に接続された図示しないコンピュータに送信され、プロジェクター１は指の位置や動きに応じて投影する画像を変化させることで、使用者は投影ボード３に投影された画像を指で直接操作可能となっている。
上記センサーユニット７による検出範囲は、図１においてハッチングで示すように、当該センサーユニット７の下方に向けて放射状に設定され、換言するとセンサーユニット７の真横の部分は検出範囲外となっている。また、画像が投影される面、すなわち使用者が触れる面よりも前方に突出した部分がある場合には、当該突出部よりも外側を検出することができない。
このため、上記プロジェクター１を上記使用位置に位置させた際には、上記プロジェクター１による画像の投影範囲が上記センサーユニット７の検出範囲の内側に位置するよう、プロジェクター１の高さを設定する必要がある。
【００１１】
上記投影ボード３は、図示しないがキャスターの設けられた脚部によって移動可能となっており、このためプロジェクター用ボード２を移動させる際にはプロジェクター１を収納位置に位置させて、プロジェクター１が施設の設備等に衝突しないようにすることができる。
上記投影ボード３の外周の縁部には補強のためのフレーム３ａが設けられており、当該フレーム３ａは投影ボード３に対して若干前方に突出している（図４（ｂ）参照）。
このため、上記センサーユニット７の検出範囲は当該フレーム３ａよりも外方はその範囲外となり、またセンサーユニット７自体もフレーム３ａの内側に設ける必要がある。
【００１２】
上記保持部材４は上記投影ボード３の背面に固定された筒状の部材となっており、当該保持部材４の内部に上記可動アーム５を構成する筒状部材１１が摺動可能に設けられている。
上記保持部材４の上端部には軸方向に図示しないスリットが形成され、さらに当該スリットを挟んで形成された二つのフランジ４ａを貫通するように、いわゆるクイックリリースと呼ばれる固定手段８が設けられている。
上記固定手段８を開放すると上記フランジ４ａが離隔し、上記保持部材４に保持された筒状部材１１の回転または昇降が許容され、逆に固定手段８を閉鎖すると、上記フランジ４ａが接近して筒状部材１１の移動を阻止し、可動アーム５が上記使用位置または収納位置に保持されるようになっている。
【００１３】
上記可動アーム５は上記保持部材４に保持される上記筒状部材１１と、当該筒状部材１１の上端に設けられたアーム部１２と、当該アーム部１２の先端に設けられてその下面に上記プロジェクター１を連結保持する連結手段１３とによって構成されている。
上記アーム部１２は複数の部材によって構成されることで伸縮可能になっており、投影ボード３のサイズに応じてプロジェクター１と投影ボード３との距離を調整することが可能となっている。
上記連結手段１３は４つの調整用ネジ１３ａを備えており、この調整用ネジ１３ａを用いることで、プロジェクター１の姿勢を微調整し、投影された画像の傾き等を修正することが可能となっている。
【００１４】
次に、図４を用いて上記カム機構６について説明すると、本実施例のカム機構６は、上記可動アーム５に設けたカムフォロア２１と、上記投影ボード３に設けられて上記カムフォロア２１が上方から当接する傾斜部２２ａの形成されたカム部材２２とから構成されている。また図４（ａ）は平面図を、図４（ｂ）は側面図を、図４（ｃ）は正面図をそれぞれ示している。
上記カムフォロア２１は上記筒状部材１１を貫通したロッド２３の先端に設けられており、図４（ａ）の平面図に示すように、上記筒状部材１１の回転に伴って、筒状部材１１に対して図示左方に位置した使用位置と、図示上方に位置した上記収納位置との間で移動するようになっている。
また上記ロッド２３には上記カムフォロア２１を挟むように二枚の円盤状のプレート２４が設けられ、このプレート２４は上記カムフォロア２１よりも大径に形成されており、上記カムフォロア２１が移動する際に使用者の指がカムフォロア２１と傾斜部２２ａとの間で挟まれるのを防止するものとなっている。
【００１５】
上記カム部材２２は一枚の鉄製のプレートを折り曲げて製造することができ、上記投影ボード３の上部のフレーム３ａに固定されて上記筒状部材１１の外周を覆うようになっている。
カム部材２２の上端には上記カムフォロア２１が上方から当接する上記傾斜部２２ａが形成されており、当該傾斜部２２ａは、図４（ａ）に示す平面図に示すように、筒状部材１１の回転に伴って移動する上記カムフォロア２１の軌跡に沿った円弧状の経路を有している。
また図４（ｂ）（ｃ）に示すように、上記傾斜部２２ａはカムフォロア２１を使用位置と収納位置との間で徐々に昇降させるための傾斜を有しており、上記筒状部材１１の回転に伴ってカムフォロア２１が昇降することで、当該カムフォロア２１と一体的にアーム部１２に固定されたプロジェクター１が昇降するようになっている。
すなわち、上記使用位置および上記収納位置におけるプロジェクター１の高さは、上記傾斜部２２ａにおける傾斜の高低差によって設定することが可能となっている。
【００１６】
さらに図４（ｂ）に示すように、上記カム部材２２における上記傾斜部２２ａの下端部に隣接した位置には平坦部２２ｂが形成され、さらに当該平坦部２２ｂに隣接した位置には上方に向けて傾斜するストッパ部２２ｃが形成されている。
上記プロジェクター１が使用位置に位置すると、カムフォロア２１は上記平坦部２２ｂに位置するようになっており、この平坦部２２ｂは所定の長さを有していることから、カムフォロア２１はこの平坦部２２ｂの形成されている区間で移動することが可能となる。
このように平坦部２２ｂを形成することで、使用位置に位置したプロジェクター１を上記平坦部２２ｂの形成された範囲内において水平に移動させることができ、投影ボード３に対するプロジェクター１の位置を微調整することができる。
また微調整が完了した後には、上記保持部材４に設けた固定手段８を操作することで、プロジェクター１を投影ボード３に対して動かないように保持することができる。
次に、上記ストッパ部２２ｃは傾斜して設けられていることから、カムフォロア２１がこのストッパ部２２ｃに当接すると、ストッパ部２２ｃの傾斜によってカムフォロア２１を減速停止させることができ、これ以降の可動アーム５の回転を阻止することができる。
これに対し、ストッパ部２２ｃを垂直方向に形成してしまうと、カムフォロア２１が当該垂直部分で減速せずに停止することから、上記カムフォロア２１やロッド２３に負担がかかることとなる。
【００１７】
さらに上記図４（ｃ）に示すように、上記カム部材２２における上記傾斜部２２ａの上端部に隣接した位置に凹部２２ｄを設け、上記プロジェクター１が収納位置に位置した際に、上記カムフォロア２１が上記凹部２２ｄに嵌合するようになっている。
上記凹部２２ｄは２つの傾斜部分から構成された略Ｖ字形を有しており、凹部２２ｄに収容されたカムフォロア２１を２つの傾斜部分に当接させて位置決めし、プロジェクター１を所要の収納位置に停止させることが可能となっている。
また上記ストッパ部２２ｃと同様、上記凹部２２ｄは傾斜部分を備えているため、使用位置から収納位置に移動したカムフォロア２１は上記凹部２２ｄを構成する傾斜部分に当接して乗り上げて減速停止し、上記カムフォロア２１のロッド２３やアーム部１２への負荷を軽減することができる。
【００１８】
上記構成を有するプロジェクター用ボード２によれば、プロジェクター１を使用位置または収納位置に移動させるには、使用者が上記アーム部１２を水平方向に押圧するだけよい。
これによりアーム部１２が筒状部材１１を中心に回動しながら、カム機構６を構成するカムフォロア２１がカム部材２２の傾斜部２２ａに沿って上下に移動して、上記アーム部１２が昇降することとなる。
その結果、上記アーム部１２の連結手段１３の下面に連結保持されたプロジェクター１を、収納位置では本体部１ａを上記投影ボード３の上方のフレーム３ａよりも上方に位置させることができ、また使用位置では本体部１ａを上記投影ボード３の上方のフレーム３ａよりも下方に位置させることができる。
また、使用位置において本体部１ａを上記投影ボード３の上方のフレーム３ａよりも下方に位置させることで、上記センサーユニット７による検出範囲にプロジェクター１の投影範囲を位置させることができる。
【００１９】
なお、上記実施例におけるプロジェクター１は上記センサーユニット７を備えることにより、使用者の指で投影ボード３に投影された画像を操作可能としているが、本実施例のプロジェクター用ボード２は、上記センサーユニット７を省略したプロジェクター１に用いることも可能である。
その場合であっても、投影ボード３の適切な位置に画像を投影するために、使用位置に位置したプロジェクター１の本体部１ａを上記投影ボード３の上方のフレーム３ａよりも下方に位置させることができる。
また、上記実施例ではプロジェクター１として本体部１ａの上部に照射レンズ１ｂを備えたものを使用しているが、その他の構成を有したプロジェクター１であっても使用可能であることは言うまでもない。
【符号の説明】
【００２０】
１  プロジェクター              ２  プロジェクター用ボード
３  投影ボード                  ４  保持部材
５  可動アーム                  ６  カム機構
７  センサーユニット            ２１  カムフォロア
２２  カム部材                  ２２ａ  傾斜部
２２ｂ  平坦部                  ２２ｃ  ストッパ部
２２ｄ  凹部
【図１】
0006558534.tif 000002
【図２】
0006558534.tif 000003
【図３】
0006558534.tif 000004
【図４】
0006558534.tif 000005